(57)【要約】      （修正有）【課題】使用済みの袋体を筒状体に成形して園芸用苗等の保護具として活用できるポリエチレン製の包装袋と、中身を出し切って空になった包装体を筒状体に成形して、園芸用作物の保護具として活用できる作物栽培用保護筒を提供する。【解決手段】水平方向に直線的に引き裂き切れる性質を有するポリエチレン製フィルムで袋体を成形し、その上部の封止開口(2)の横幅(W)の全長にわたって上下２段に段付きの直線状のヒートシール部(51)・(52)を設けると共に、当該上下段のヒートシール部(51)・(52)を所定高さ(h)で細幅の縦線状ヒートシール部(53)で繋ぎ、上記上下２段のヒートシール部(51)・(52)の間の縦側縁辺に一方向に直線的に引き裂くためのノッチ部(6)・(6′)を設け、当該袋体の片側縦側縁辺(4)又は両側縦側縁辺(4′)の下部にノッチ部(6″)を設け、上下のノッチ部(6)・(6′)から引き裂き切って園芸用腐葉土等の保護具を得るための筒状体を設ける。【選択図】図１
0003208688.tif 000002
【実用新案登録請求の範囲】
【請求項１】
水平方向に直線的に引き裂き切れる性質を有するポリエチレン製フィルムで袋体（1）を成形し、その上部の封止開口（2）の横幅（W）の全長にわたって上下２段に段付きの直線状のヒートシール部（51）・（52）を設けると共に、当該上下段のヒートシール部（51）・（52）を所定高さ（h）で細幅の縦線状ヒートシール部（53）で繋ぎ、上記上下２段のヒートシール部（51）・（52）の間の縦線辺に水平方向に直線的に引き裂くためのノッチ部（6）・（6′）を設け、当該袋体（1）の片側縦縁辺（1′）または両側縦縁辺（1″）の下部にも水平方向に直線的に引き裂くためのノッチ部（6″）を設けたことを特徴とする封止開口を直線状の引き裂きによりその一部を開封できるポリエチレン製の包装袋。
【請求項２】
袋体（1）の上部の下段のノッチ部（6′）と下部のノッチ部（6″）を引き裂き切って筒状体を設けた請求項１記載の封止開口を直線状の引き裂きによりその一部を開封できるポリエチレン製の包装袋で作製した作物栽培用保護筒。
【考案の詳細な説明】
【技術分野】
【０００１】
本考案は、インフレーション成形した密封チューブ体の上部開口を鋏やカッターナイフ等を使わずに一直線状の引き裂きにより、その一部を開封できるポリエチレン製包装袋に関し、園芸用の肥料や単用土、腐葉土、培養土等を収容したポリエチレン製袋から別容器や目的個所に移し換える際、その開口部位における引裂き部から横幅の全長に渡って水平方向に引き裂き切ってその内容物を出しきって不要になった空の袋体の下部も水平方向に引き裂き切って筒状体に成形して園芸用の苗の保護具として活用できる作物栽培用保護筒を提供する。
【背景技術】
【０００２】
一般に、ポリエチレン包装袋に２ｌ〜４０ｌ入りの園芸用肥料や単用土、腐葉土、培養土を封入した包装袋からの収容物を取り出す場合、封入した直線状のヒートシール部の直下辺を当該シール部に沿って鋏やカッターナイフを用いて開封することが行われる。
【０００３】
上記の鋏やカッターナイフ等の手動利器を用いる理由は、従来の包装袋の封止開口におけるヒートシール部は、三層程度のポリエチレンチューブ製包装袋の開口上辺に設けられていて、強度や耐久性等の観点から高強度の二軸延伸された積層フィルムが広く用いられていることによる。
【０００４】
この場合、上記の包装袋の封止開口を手で引き裂くことができると開封に手間がかかる鋏やカッターを使わずに済んで便利であるが、この種の包装袋の強度や耐久性等の観点から高強度の二軸延伸された積層フィルムが広く用いられている。
【０００５】
そのため、封止開口直下の引裂き開始端部に切込みやノッチを設けることにより開封の引裂き開始は容易であるが、前記強度や耐久性等の観点から高強度の二軸延伸された積層フィルムを用いているので真っ直ぐに切れないどころか、むしり取るようにささくれ立って引き裂き滓が飛散するおそれがある。
【０００６】
そこで、従来にあっても複数層に積層した合成樹脂製フィルム包装袋の封止開口を手で容易に引き裂くことができる包装袋が開示されている。
【０００７】
例えば、第１に一方向易引き裂き性フィルムのもう一方の面にシール層を設けた複合フィルムを使用した袋の上部開封部のノッチを設けた袋（特許文献1）、第２に二軸延伸ポリエステルまたはポリアミドフィルムを用いた袋の上部に設けたジッパーと上辺シール部の間に両端にノッチを設けたもの（特許文献２）、第３に無塵伸ポリプロピレンフィルムを使用した包装袋の頂部シール部に延長する下部に切り裂き開始用の切り込みを設けたもの（特許文献３）、第４に１層以上のフィルムを有する基材シートに積層されているポリオレフィン系樹脂による熱シール用樹脂層との包装用材によって形成されている密封袋の上部に裂傷が付されている帯域を設け、その帯域の端部にノッチを設けたもの（特許文献４）等がある。
【０００８】
また、第５にアルミ等の薄膜を蒸着したフィルムを含む三層構造の２枚の矩形フィルムを重ねてその周縁を熱接着して１２０×１６５（mm）の包装袋を製造し、且つその収容部に内容物として球形状アイスボールの氷菓と共に空気を封入し、且つ内容物として球形状アイスボールの氷菓と共に空気を封入し、且つ内容物の取出口に個別取出部を設けたもの（特許文献５）がある。
【０００９】
そこで、出願人は封止開口を直線状の引き裂きにより封止開口の一部を開封できるポリエチレン製の包装袋に関し、主として精米を充填したポリエチレン製袋体から別容器に移し換える際、その引裂き部の封止開口の全長に渡って引き裂き切っても封止開口の一部だけが開封されて内部の精米等の充填物が一挙に溢れ出ないようにしたものを提供した（特許文献６）。
【先行技術文献】
【特許文献】
【００１０】
【特許文献１】特開2004−189312号公開公報
【特許文献２】特開2002−264950号公開公報
【特許文献３】特開平  8−337251号公開公報
【特許文献４】実開平  3− 53447号公開公報
【特許文献５】特開2011−162245号公開公報
【特許文献６】実用新案登録第3178317号公報
【考案の概要】
【考案が解決しようとする課題】
【００１１】
特許文献６によって、従来特許文献１〜６の手動利器を使用しての包装袋のカットによる開封ではなく、手で引き裂く開封ができるようにすると共に、アルミ蒸着加工していないポリエチレン製袋の封止開口の−部を開封して比較的大容量の米等の小粒状充填物を小出しに取り出し、又は封止開口の全部を開封して袋内の米等の中身を残らず取り出すことが可能になった。
【課題を解決するための手段】
【００１２】
本考案は、上記特許文献６の考案にさらに技術改良を加えて園芸栽培において、用途の拡大を図れるようにしたものである。
【００１３】
本考案の第１は、封止開口を直線状の引き裂きによりその一部を開封できるポリエチレン製の包装袋において、袋体下部を直線状の引き裂きにより筒状体に成形した園芸用苗等の作物栽培用保護筒において、水平方向に直線的に引き裂き切れる性質を有するポリエチレン製フィルムで袋体を成形し、その上部の封止開口の横幅の全長にわたって上下２段に段付きの直線状のヒートシール部を設けると共に、当該上下段のヒートシール部を所定高さで細幅の縦線状ヒートシール部で繋ぎ、上記上下２段のヒートシール部の間の縦線辺に一方向に直線的に引き裂くためのノッチ部を設け、当該袋体の片側縦縁辺または両側縦縁辺の下部にも水平方向に直線状に引き裂くためのノッチ部を設けたものである。
【００１４】
本考案の第２は、第１の考案に係る封止開口を直線状の引き裂きによりその一部を開封できるポリエチレン製の包装袋において、袋体の上部の下段のノッチ部と袋体下部にも設けたノッチ部を水平方向に直線状に引き裂き切って筒状体を設けたものである。
【考案の効果】
【００１５】
本考案は、上記の構成であるから次のような効果がある。すなわち、袋体上部の引裂き開始端のノッチ部から直線状のヒートシール部の下辺に沿ってその近傍を終端に至るまで引き裂くと通常では取出用の封止開口全部が開くが、本考案にあっては、封止開口の１個所又は数ケ所の一部を一直線状に開封でき、袋体内の中身である園芸用の肥料または腐葉土、培養土等の中身を小出しに、または全部を出し切って移し換えをすることができる。
また、袋体上部の下段のノッチ部から直線状のヒートシール部の下段のヒートシール部の下辺に沿ってその近傍を終端に至るまで引き裂くと袋体の封止開口部が全部開口する。
【００１６】
そして、中身を全部出し切って空になった袋体の下部縦側縁辺のノッチ部を開始端から水平方向に終端に至るまで引き裂き切ることにより、所定の高さ（又は長さ）の筒状体が成形される。
この筒状体は、地面に植えた草花や野菜（以下。「栽培用植物」という。）の苗や苗木等の回りに立てた支柱に上から被せて根元にまで達するように覆うと、当該作物を風害や霜害から守る保護具として用いることができる。
【００１７】
その筒状体は、使用済み後は廃物同様の空の袋体を活用するものであるから、コストの低減と、廃棄物の有効利用に役立つものである。
【図面の簡単な説明】
【００１８】
【図１】図１は本考案に係る園芸用包装袋の正面図である。
【図２】図２は図１の斜視図である。
【図３】図１の袋体を上下のノッチ部から引き裂き切って作製した筒状体の斜視図である。
【図４】図３に示す筒状体の使用状態の斜視図である。
【図５】図３に示す筒状体の他の使用状態の斜視図である。
【考案を実施するための形態】
【００１９】
本考案を実施するための形態は次のとおりである。
充填した園芸用の単用土、腐葉土、培養土等を取り出す封止開口を水平方向に一直線状の引き裂きにより、その全部又は一部を開封できる包袋において、引裂き開始端から終端に向かって水平方向に直線状に引裂き切ったときに封止開口の全部が開封できるように上下２段のヒートシール部とその端部同士を繋ぐ縦線状のヒートシールを設け、一部開封のときは、その縦線状を引裂き線が通過するようになっている。
【００２０】
上記袋体の片側縦側縁辺または両側縦側縁辺の上下部に所定の間隔をあけてノッチ部が設けられている。
【００２１】
そして、袋体の封止開口を直線状の引き裂きにより、その袋体上部の下段ノッチ部から開口部を全部開封する場合は、袋体上部において、下段のノッチ部を引裂き開始端から終端までを水平方向に直線状に引き裂き切ると共に、袋体下部のノッチ部もその開始端から終端まで水平方向に直線状に引き裂き切ると上下端が開口した筒状体が成形される。
【００２２】
本考案に用いる一方向に直線的に引き裂き切れる性質を有するフィルムとしては、特に好ましくは、環状ポリオレフィン系樹脂及びポリエチレン系樹脂を含有する層を少なくとも有する多層ポリエチレン製フィルムを用いることが挙げられる。
【実施例】
【００２３】
次に、本考案の実施例を図面に沿って説明する。
図１及び図２は園芸用腐葉土（例えば７ｌ「リットル」入り用）の袋体であって、１はインフレーション成形加工した水平方向に直線的に引き裂き切れる性質を有するポリエチレン製筒状体Ｔで製作した袋体であり、長さＬは４８０ｍｍ、横幅Ｗは３２０ｍｍであり、その長さ方向の上部を封止開口２とし、下部開口３′を腐葉土を収納した後に袋体縁辺に沿って溶着して有底部３とする。４・４′は袋体の縦辺であり、その両側又は片側に上下２段のノッチ部用溶着部が設けられている。前記の袋体にあっては、腐葉土のほか、単用土、培養土を収容するものもある。
なお、最も大きい部類の４０ｌ入りの袋体では、長さＬ８００ｍｍ、横幅５００ｍｍ程で大きい栽培用植物に適合する。また、小さい例えば２ｌの袋体にあっては、長さＬ３５０ｍｍ、横幅Ｗ２００ｍであるから、小さい植木鉢等で草花の栽培に適合する。
【００２４】
５は袋体１の開口２を封止するための線状のヒートシール部である。図１及び図２において、５1・５2は袋体１の全幅Ｗにわたって所定の高さｈで上下２段の段付きで水平線状のヒートシール部５1・５2を設け、その上下問の高さｈを縦線状のヒートシール部５3で繋いで略クランク軸状を成している。
【００２５】
５′・５″は袋体縦側縁辺の両側又は片側の上下２段に設けたノッチ部成形用の線状シール部である。
６は上段の線状溶着部５′で囲われた内部に設けた引裂き用ノッチ部、６′は下段の溶着部５″に設けた引裂き用ノッチ部である。当該ノッチ部６・６′は横一文字として切り込みを入れて形成する。６″は、上部のノッチ部６′と所定の間隔Ｌ′をあけて設けたノッチ部である。
上記の上部ノッチ部６・６′・６″はヒートシール部５′で囲われている。また、下部のノッチ部６″をヒートシール部５″で囲われている。
７は袋体１の上部における上段ノッチ部６より上部に位置する余剰片である。
【００２６】
「具体的な包装袋製作工程及び園芸用腐葉土の充填・取出例」
（1）下記樹脂組成からなる外層Ａ／中間層Ｂ／内層Ｃの３種３層のポリエチレン製多層フィルムをインフレーション成形機により成形し、一方向に直線的に引裂き切れる性質のチューブ体を得た。
外層Ａ：エチレン・α−オレフィン共重合体（L L−1）（M F R：1．0（g／10分）、密度：0．926g／cm3）（a）
中間層Ｂ：エチレン・α−オレフィン共重合体（L L−1）70重量％＋エチレン・環状ポリオレフィン共重合体（ポリプラスチック社製  商品名T O P A S「800  7」）30重量％（b1）・（b2）
内層Ｃ：エチレン・α−オレフィン共重合体（L L−2）（M F R：2．0（g／10分）、密度：0．910g／cm3）（c）。樹脂組成からなる外層Ａ／中間層Ｂ／内層Ｃの３種３層のポリエチレン製多層フィルムを（図９）に示す。
（2）上記インフレーション成形によって得られた一方向に直線的に引き裂き切れる性質のポリエチレンチューブ体tを公知の製袋機にかけて所定のサイズ（例えば、園芸用腐葉土７ｌ入りで高さＨ４３０ｍｍ×幅２８０ｍｍに設定した上部の封止開口２の一端（図１及び図２で右端）から全幅Ｗのヒートシール部５のうち、３分の１〜２分の１（約９０〜２００ｍｍ）程度の横幅ｗ１で上段の水平線状ヒートシール部５1を設ける。この線状ヒートシール部５1の線状シール幅は２〜３ｍｍとし、全幅方向における一部の横幅ｗ１は市販のプラスチック容器の注ぎ口の直径が１５０ｍｍ〜２００ｍｍのものが多いのでそれに合わせて設定することが望ましい。そして、袋体上部において、右端部から所定の横幅ｗ1で水平直線状のヒートシール部５1から約１１０°〜１６０°の範囲の斜線状ヒートシール部５3を所定高さｈで成形し、その下がった位置に水平線状ヒートシール部５2を接続して上下２段の段違いの水平直線状のヒートシール部５1〜５2が連続して成形される。そして、当該高さｈの間と下段ヒートシール部５2の直下に引裂き用ノッチ部６・６′と、そのノッチ部６′と所定の長さＬ′を設けた下部にも引裂き用ノッチ部６″を設けてある（図１、図２）。
（3）次に、袋体1の下辺の開口３′から園芸用腐葉土（例えば７ｌ）を充填する。
（4）腐葉土を充填した袋体１の下辺開口３′を公知のヒートシール機（図示省略）でシールして封止して当該封止部を有底底部３とする。
（5）袋体1に充填した精米を移し替えるために取り出す場合には、上下の水平線状ヒートシール部５1・５2の問の引裂き開始端ｘのノッチ部６から仮想線２1に沿って引き裂いていくと、斜線状のヒートシール部５3を通過しながら一直線に対向側の引裂き終端ｙに至り、封止開口２の横幅ｗ１の一部２1だけが開封される。同時に余剰片７が袋体１から切り離される。この場合、斜線は１１０°から１６０°に設定してあるので、当該シール幅が２〜３ｍｍであってもスムーズに引き裂き切れる。
（6）最後に下段ヒートシール部５2の直下に位置する下段ノッチ部６′から仮想線２2に沿って終端ｙに至るまで引き裂き切って封止開口２を全開して中身の残量を取り出す。
(7)中身を取り出して空になった袋体１の下部のノッチ部６″から水平方向に直線状に引き裂き切ることによって保護具となる筒状体Ｔが成形される（図３参照）。
【００２７】
「筒状体に使用例１」
図４プランターに植えた花の苗Ｓを囲んで４本の支柱Ｐを立て、その支柱の上部から筒状体Ｔを被せて花の苗Ｓ根元まで配置してほぼ四角形に囲むと、その花の苗Ｓは筒状体Ｔですっぽり囲まれて風よけや霜よけの効果がある。
【００２８】
「筒状体に使用例２」
図５は、畑に植えたトマトの苗Ｓの状態において、茎の添え木として沿わせてひも等で結束した周囲を苗Ｓに筒状体Ｔを被せ、４本の支柱Ｐでほぼ四角形に形成して囲い、その根元をまで配置しておくと、その根元はすっぽり囲まれて風除けや霜除けの効果がある。
【産業上の利用可能性】
【００２９】
本考案は、主として７ｌの園芸用腐葉土の包装袋に適用しているが、２ｌ〜４０ｌ程度の単用土、腐葉土、培養土にも適用できる。
また、園芸用資材としての包装袋ばかりではなく、精米、無洗米２ｋｇ〜１０ｋｇまたはペット用の猫砂等の収容に用いる包装袋にも適用できる。
【符号の説明】
【００３０】
１…袋体
２…封止開口
３…底部
４・４′…袋体の縦側縁辺
５…ヒートシール部
５1…上段線状ヒートシール部
５2…下段線状ヒートシール部
５3…斜線状ヒートシール部
５′…上部のノッチ部を囲む線状ヒートシール部
５″…下部のノッチ部を囲む線状ヒートシール部
６…袋体上部の上段ノッチ部
６′…袋体上部の下段ノッチ部
６″…袋体下部のノッチ部
７…袋体上部の余剰片
Ｐ…筒状体を支える支柱
Ｓ…草花又は野菜等の苗又は苗木
Ｔ…保護具となる筒状体
【図１】
0003208688.tif 000003
【図２】
0003208688.tif 000004
【図３】
0003208688.tif 000005
【図４】
0003208688.tif 000006
【図５】
0003208688.tif 000007